(57)【要約】  開閉自在な２つのケース片によってゲル状樹脂から成るコア片を支持した構成の精子採取器において、高価なゲル状樹脂の使用量を大幅に減少させてコストダウンを図る。内面に弾性多孔質部材１０を配置した各ケース片４を近接配置した状態で該各ケース片を固定する第１の金型５１と、第１の金型５１との間に形成される成形空間内に各ケース片及び各弾性多孔質部材を収容し、且つ各弾性多孔質部材の内面と夫々対向する成形面を備えた第２の金型６０と、各ケース片及び各弾性多孔質部材を成形空間内に収容した状態で各弾性多孔質部材内面を押圧して圧縮変形させつつ溶融状態のゲル状樹脂７５を圧入する樹脂流路７０と、を備えた。
2011145580.tif 000002
【特許請求の範囲】
【請求項１】
２つのケース片と、該各ケース片内面に配置された弾性多孔質部材と、前記各ケース片内面との間に該各弾性多孔質部材を介在させた状態で該各弾性多孔質部材の内面に沿って配置され且つ前記各ケース片に夫々固定されたゲル状樹脂から成るコア片と、を有した精子採取器を製造する装置であって、
内面に前記弾性多孔質部材を配置した前記各ケース片を近接配置した状態で該各ケース片を固定する第１の金型と、
前記第１の金型上に閉型したときに該第１の金型との間に形成される成形空間内に前記各ケース片及び前記各弾性多孔質部材を収容し、且つ前記各弾性多孔質部材の内面と夫々対向する成形面を備えた第２の金型と、
前記各ケース片及び前記各弾性多孔質部材を前記成形空間内に収容した状態で、前記各弾性多孔質部材内面を押圧して圧縮変形させつつ、或いは前記各弾性多孔質部材内面を圧縮変形させずに、溶融状態の前記ゲル状樹脂を注入する樹脂流路と、を備えたことを特徴とする精子採取器の製造装置。
【請求項２】
抜気孔を有したケース片と、該ケース片内面に配置された弾性多孔質部材と、前記ケース片内面との間に該弾性多孔質部材を介在させた状態で該弾性多孔質部材の内面に沿って配置され且つ前記ケース片に固定されたゲル状樹脂から成るコア片と、を有した精子採取器を製造する装置であって、
内面に前記弾性多孔質部材を配置した前記ケース片を固定する第１の金型と、
前記第１の金型上に閉型したときに該第１の金型との間に形成される成形空間内に前記ケース片及び前記弾性多孔質部材を収容し、且つ前記弾性多孔質部材の内面と対向する成形面を備えた第２の金型と、
前記ケース片及び前記弾性多孔質部材を前記成形空間内に収容した状態で前記弾性多孔質部材内面を押圧して圧縮変形させつつ、或いは前記各弾性多孔質部材内面を圧縮変形させずに、溶融状態の前記ゲル状樹脂を注入する樹脂流路と、を備えたことを特徴とする精子採取器の製造装置。
【請求項３】
少なくとも一つのケース片、該ケース片内面に配置された弾性多孔質部材、及び前記ケース片内面との間に該弾性多孔質部材を介在させた状態で該弾性多孔質部材の内面に沿って配置され且つ前記ケース片に固定されたゲル状樹脂から成るコア片を有した精子採取器を、金型を用いた射出成形により製造する方法であって、
前記弾性多孔質部材の内面を前記金型側の成形面と対面させた状態で該金型の成形空間内に前記ケース片を固定する工程と、
前記成形空間内に溶融した前記ゲル状樹脂を注入する際に、前記弾性多孔質部材を圧縮変形させつつ、或いは前記各弾性多孔質部材内面を圧縮変形させずに、前記溶融ゲル状樹脂を前記金型側の成形面との間に注入する工程と、
前記成形空間内に充填された前記溶融ゲル状樹脂が固化した際に、前記金型を開放して前記精子採取器を取り出す工程と、
を備えたことを特徴とする精子採取器の製造方法。
【請求項４】
前記ケース片には抜気孔が設けられており、前記ケース片を前記成形空間内に固定する前に該抜気孔を閉止しておくことを特徴とする請求項３に記載の精子採取器の製造方法。
【請求項５】
抜気孔を有した２つのケース片と、該各ケース片内面に配置された弾性多孔質部材と、前記各ケース片内面との間に該各弾性多孔質部材を介在させた状態で該各弾性多孔質部材の内面に沿って配置されると共に前記各ケース片に固定され、且つ外周部が互いに連接一体化されたゲル状樹脂から成るコア片と、該各コア片間を連接するゲル状樹脂部分に開口した挿入口と、を有した精子採取器を製造する装置であって、
内面に前記弾性多孔質部材を配置した一方の前記ケース片を支持する第１の金型と、
内面に前記弾性多孔質部材を配置した他方の前記ケース片の外面を支持すると共に該内面を前記第１の金型の内面と対向配置した状態で該第１の金型に組み付けられる第２の金型と、
前記第１の金型と前記第２の金型との間に介挿されて前記各弾性多孔質部材の内面と接触する成形面を両面に備えた入れ子と、を備え、
前記入れ子内部には、溶融状態の前記ゲル状樹脂を前記各弾性多孔質部材と前記入れ子の成形面との間に注入する樹脂流路を備えていることを特徴とする精子採取器の製造装置。
【請求項６】
２つのケース片、該各ケース片内面に配置された弾性多孔質部材、及び前記各ケース片内面との間に該各弾性多孔質部材を介在させた状態で該各弾性多孔質部材の内面に沿って配置されると共に前記各ケース片に固定され、且つ外周部が互いに連接一体化されたゲル状樹脂から成るコア片と、該各コア片間を連接するゲル状樹脂部分に開口した挿入口と、を有した精子採取器を、金型を用いた射出成形により製造する方法であって、
前記各弾性多孔質部材の内面を夫々前記金型を構成する入れ子の成形面と対面させた状態で該金型の成形空間内に前記各ケース片を固定する工程と、
前記成形空間内に溶融した前記ゲル状樹脂を注入する際に、前記各弾性多孔質部材を圧縮変形させつつ、或いは前記各弾性多孔質部材内面を圧縮変形させずに、前記溶融ゲル状樹脂を前記入れ子の各成形面との間に圧入する工程と、
前記成形空間内に充填された前記溶融ゲル状樹脂が固化した際に、前記金型を開放して前記精子採取器を取り出す工程と、
を備えたことを特徴とする精子採取器の製造方法。
【請求項７】
前記ケース片には抜気孔が設けられており、前記各ケース片を前記成形空間内に固定する前に該抜気孔を閉止しておくことを特徴とする請求項６に記載の精子採取器の製造方法。
【請求項８】
軸方向両端部に開口部を有した中空筒状のケースと、該ケース内面に沿って配置された中空筒状の弾性多孔質部材と、前記ケース内面との間に該弾性多孔質部材を介在させた状態で該弾性多孔質部材の内面に沿って配置され且つ前記ケースに固定されたゲル状樹脂から成る中空のコア部材と、を有した精子採取器を製造する装置であって、
前記ケースの軸方向一端開口部に固定されて該一端開口部を閉止する端部閉止片、及び、該端部閉止片中央部から前記弾性多孔質部材の中空部内に延びる中空筒状の入れ子を有した第１の金型と、
内面に前記弾性多孔質部材を配置した前記ケースの軸方向他端開口部に固定されて該他端開口部を閉止する第２の金型と、を備え、
前記入れ子の先端部と前記第２の金型内面との間には空間が形成されており、
前記第１の金型はその内部に前記弾性多孔質部材内面を圧縮変形させつつ、或いは圧縮変形させずに、溶融状態の前記ゲル状樹脂を前記各弾性多孔質部材と前記入れ子の外面との間に注入する樹脂流路を備えていることを特徴とする精子採取器の製造装置。
【請求項９】
軸方向一端部に開口部を有した中空筒状のケースと、該ケース内面に沿って配置された中空筒状の弾性多孔質部材と、前記ケース内面との間に該弾性多孔質部材を介在させた状態で該弾性多孔質部材の内面に沿って配置され且つ前記ケースに固定されたゲル状樹脂から成る中空のコア部材と、を有した精子採取器を製造する装置であって、
前記ケースの軸方向一端開口部に固定されて該一端開口部を閉止する端部閉止片、及び、該端部閉止片中央部から前記弾性多孔質部材の中空部内に延びる中空筒状の入れ子を有した第１の金型と、
前記入れ子の先端部と前記ケースの軸方向他端内面との間には空間が形成されており、
前記第１の金型はその内部に前記弾性多孔質部材を圧縮変形させつつ、或いは前記各弾性多孔質部材内面を圧縮変形させずに、前記ゲル状樹脂を前記各弾性多孔質部材と前記入れ子の外面との間に注入する樹脂流路を備えていることを特徴とする精子採取器の製造装置。
【請求項１０】
軸方向両端部に開口部を有した中空筒状のケース、該ケース内面に沿って配置された中空筒状の弾性多孔質部材、及び前記ケース内面との間で該弾性多孔質部材を挟んだ状態で該弾性多孔質部材の内面に沿って配置され、且つ前記ケースに固定されたゲル状樹脂から成る中空のコア部材を有した精子採取器を、金型を用いた射出成形により製造する方法であって、
前記弾性多孔質部材の中空内部に前記金型側の入れ子を嵌合した状態で該金型の成形空間内に前記ケースを固定する工程と、
前記成形空間内に溶融した前記ゲル状樹脂を注入する際に、前記弾性多孔質部材の内面を圧縮変形させつつ、或いは圧縮変形させずに、前記溶融ゲル状樹脂を前記入れ子との間に圧入する工程と、
前記成形空間内に充填された前記溶融ゲル状樹脂が固化した際に、前記金型を開放して前記精子採取器を取り出す工程と、
を備えたことを特徴とする精子採取器の製造方法。
【発明の詳細な説明】
【技術分野】
【０００１】
本発明は、医学的な研究、治療のための要請や、性犯罪防止、買春防止、及び性感染症の蔓延防止等の社会的な要請に基づいて普及している精子採取器の製造装置、及び製造方法に関するものである。
【背景技術】
【０００２】
医学的な研究や治療上の必要から、精子を採取するための精子採取器が種々提案されている。例えば、夫婦間の不妊の原因を究明するために採取した精子から夫の性機能を検査したり、性機能障害を治療したり、人工授精のために精子を確保する等の医学的な必要性のために精子採取器が使用される。更に、個人的な性的欲求を解消させることによる性犯罪の予防、買春防止、性感染症感染者数の減少等の種々の社会的なニーズを満たすためにも、従来から低廉に入手することができ、しかも使い捨てタイプであるために衛生上、健康上の問題も惹起しない簡易な精子採取器が知られている（特許文献１）。
従来の精子採取器は、プラスチックから成る一端が開口した円筒状のケース内にゲル状樹脂から成る袋状のコア部材を収容、固定し、コア部材内部にペニスを挿入した状態でケースを把持してペニス摺擦のための往復操作を行うことにより精子を採取するように構成されている。
しかし、特許文献１の精子採取器にあっては、コア片の材料として高価なゲル状樹脂を大量に使用する必要があるため、製品コストが増大するという問題があった。また、比較的硬質樹脂から成るケース片の内面にコア片を固定した構造に過ぎないため、閉じたコア片間に形成される挿入空所内に挿入されたペニスに対して十分なクッション効果を与えて精子採取効率を高めることに限界があった。
【先行技術文献】
【特許文献】
【０００３】
【特許文献１】特開２００８−１４８７７４公報
【発明の概要】
【発明が解決しようとする課題】
【０００４】
本発明は上記に鑑みてなされたものであり、開閉自在な２つのケース片によってゲル状樹脂から成るコア片を支持した構成の精子採取器において、高価なゲル状樹脂の使用量を大幅に減少させてコストダウンを図ることができる精子採取器の製造装置、及び製造方法を提供することを目的としている。
【課題を解決するための手段】
【０００５】
上記目的を達成するため、請求項１の発明に係る精子採取器の製造装置は、２つのケース片と、該各ケース片内面に配置された弾性多孔質部材と、前記各ケース片内面との間で該各弾性多孔質部材を挟んだ状態で該各弾性多孔質部材の内面に沿って配置され且つ前記各ケース片に夫々固定されたゲル状樹脂から成るコア片と、を有した精子採取器を製造する装置であって、内面に前記弾性多孔質部材を配置した前記各ケース片を近接配置した状態で該各ケース片を固定する第１の金型と、前記第１の金型上に閉型したときに該第１の金型との間に形成される成形空間内に前記各ケース片及び前記各弾性多孔質部材を収容し、且つ前記各弾性多孔質部材の内面と夫々対向する成形面を備えた第２の金型と、前記各ケース片及び前記各弾性多孔質部材を前記成形空間内に収容した状態で前記各弾性多孔質部材内面を押圧して圧縮変形させつつ溶融状態の前記ゲル状樹脂を圧入する樹脂流路と、を備えたことを特徴とする。
コア片とケース片との間に封じ込められた弾性多孔質部材はエアクッションとして機能し、挿入空所内を往復動するペニスに対して適度な加圧力と刺激を与えて精子採取効果を高めることができる。また、弾性多孔質部材は、コア片を構成する樹脂材料に比して軽量であるため、精子採取器を軽量化して操作性、取扱性を高めることができ、またコア片を構成する樹脂に比して低廉であるためコストダウンを図ることができる。
この製造装置によれば、このような構成を備えた精子採取器を生産性よく製造することが可能となる。【０００６】
請求項２の発明に係る精子採取器の製造装置は、抜気孔を有したケース片と、該ケース片内面に配置された弾性多孔質部材と、前記ケース片内面との間で該弾性多孔質部材を挟んだ状態で該弾性多孔質部材の内面に沿って配置され且つ前記ケース片に固定されたゲル状樹脂から成るコア片と、を有した精子採取器を製造する装置であって、内面に前記弾性多孔質部材を配置した前記ケース片を固定する第１の金型と、前記第１の金型上に閉型したときに該第１の金型との間に形成される成形空間内に前記ケース片及び前記弾性多孔質部材を収容し、且つ前記弾性多孔質部材の内面と対向する成形面を備えた第２の金型と、前記ケース片及び前記弾性多孔質部材を前記成形空間内に収容した状態で前記弾性多孔質部材内面を押圧して圧縮変形させつつ溶融状態の前記ゲル状樹脂を圧入する樹脂流路と、を備えたことを特徴とする。
請求項３の発明に係る精子採取器の製造方法は、少なくとも一つのケース片、該ケース片内面に配置された弾性多孔質部材、及び前記ケース片内面との間で該弾性多孔質部材を挟んだ状態で該弾性多孔質部材の内面に沿って配置され且つ前記ケース片に固定されたゲル状樹脂から成るコア片を有した精子採取器を、金型を用いた射出成形により製造する方法であって、前記弾性多孔質部材の内面を前記金型側の成形面と対面させた状態で該金型のキャビティ内に前記ケース片を固定する工程と、前記キャビティ内に溶融した前記ゲル状樹脂を注入する際に、前記弾性多孔質部材を圧縮変形させつつ前記溶融ゲル状樹脂を前記金型側の成形面との間に圧入する工程と、前記キャビティ内に充填された前記溶融ゲル状樹脂が固化した際に、前記金型を開放して前記精子採取器を取り出す工程と、を備えたことを特徴とする。
請求項４の発明は、請求項３において、前記ケース片には抜気孔が設けられており、前記ケース片を前記キャビティ内に固定する前に該抜気孔を閉止しておくことを特徴とする。【０００７】
請求項５の発明に係る精子採取器の製造装置は、抜気孔を有した２つのケース片と、該各ケース片内面に配置された弾性多孔質部材と、前記各ケース片内面との間で該各弾性多孔質部材を挟んだ状態で該各弾性多孔質部材の内面に沿って配置されると共に前記各ケース片に固定され、且つ外周部が互いに連接一体化されたゲル状樹脂から成るコア片と、該各コア片間を連接するゲル状樹脂部分に開口した挿入口と、を有した精子採取器を製造する装置であって、内面に前記弾性多孔質部材を配置した一方の前記ケース片を支持する第１の金型と、内面に前記弾性多孔質部材を配置した他方の前記ケース片の外面を支持すると共に該内面を前記第１の金型の内面と対向配置した状態で該第１の金型に組み付けられる第２の金型と、前記第１の金型と前記第２の金型との間に介挿されて前記各弾性多孔質部材の内面と接触する成形面を両面に備えた入れ子と、を備え、前記入れ子内部には、溶融状態の前記ゲル状樹脂を前記各弾性多孔質部材と前記入れ子の成形面との間に注入する樹脂流路を備えていることを特徴とする。
請求項６の発明に係る精子採取器の製造方法は、２つのケース片、該各ケース片内面に配置された弾性多孔質部材、及び前記各ケース片内面との間で該各弾性多孔質部材を挟んだ状態で該各弾性多孔質部材の内面に沿って配置されると共に前記各ケース片に固定され、且つ外周部が互いに連接一体化されたゲル状樹脂から成るコア片と、該各コア片間を連接するゲル状樹脂部分に開口した挿入口と、を有した精子採取器を、金型を用いた射出成形により製造する方法であって、前記各弾性多孔質部材の内面を夫々前記金型を構成する入れ子の成形面と対面させた状態で該金型のキャビティ内に前記各ケース片を固定する工程と、前記キャビティ内に溶融した前記ゲル状樹脂を注入する際に、前記各弾性多孔質部材を圧縮変形させつつ前記溶融ゲル状樹脂を前記入れ子の各成形面との間に圧入する工程と、前記キャビティ内に充填された前記溶融ゲル状樹脂が固化した際に、前記金型を開放して前記精子採取器を取り出す工程と、を備えたことを特徴とする。【０００８】
請求項７の発明は、請求項６において、前記ケース片には抜気孔が設けられており、前記各ケース片を前記キャビティ内に固定する前に該抜気孔を閉止しておくことを特徴とする。
請求項８の発明に係る精子採取器の製造装置は、軸方向両端部に開口部を有した中空筒状のケースと、該ケース内面に沿って配置された中空筒状の弾性多孔質部材と、前記ケース内面との間で該弾性多孔質部材を挟んだ状態で該弾性多孔質部材の内面に沿って配置（充填）され且つ前記ケースに固定されたゲル状樹脂から成る中空のコア部材と、を有した精子採取器を製造する装置であって、前記ケースの軸方向一端開口部に固定されて該一端開口部を閉止する端部閉止片、及び、該端部閉止片中央部から前記弾性多孔質部材の中空部内に延びる中空筒状の入れ子を有した第１の金型と、内面に前記弾性多孔質部材を配置した前記ケースの軸方向他端開口部に固定されて該他端開口部を閉止する第２の金型と、を備え、前記入れ子の先端部と前記第１の金型内面との間には空間が形成されており、前記第１の金型はその内部に前記弾性多孔質部材内面を押圧しつつ溶融状態の前記ゲル状樹脂を前記各弾性多孔質部材と前記入れ子の外面との間に注入する樹脂流路を備えていることを特徴とする。【０００９】
請求項９の精子採取器の製造装置は、軸方向一端部に開口部を有した中空筒状のケースと、該ケース内面に沿って配置された中空筒状の弾性多孔質部材と、前記ケース内面との間で該弾性多孔質部材を挟んだ状態で該弾性多孔質部材の内面に沿って配置され且つ前記ケースに固定されたゲル状樹脂から成る中空のコア部材と、を有した精子採取器を製造する装置であって、前記ケースの軸方向一端開口部に固定されて該一端開口部を閉止する端部閉止片、及び、該端部閉止片中央部から前記弾性多孔質部材の中空部内に延びる中空筒状の入れ子を有した第１の金型と、前記入れ子の先端部と前記ケースの軸方向他端内面との間には空間が形成されており、前記第１の金型はその内部に前記弾性多孔質部材内面を押圧しつつ溶融状態の前記ゲル状樹脂を前記各弾性多孔質部材と前記入れ子の外面との間に注入する樹脂流路を備えていることを特徴とする。
請求項１０の発明に係る精子採取器の製造方法は、軸方向両端部に開口部を有した中空筒状のケース、該ケース内面に沿って配置された中空筒状の弾性多孔質部材、及び前記ケース内面との間で該弾性多孔質部材を挟んだ状態で該弾性多孔質部材の内面に沿って配置（充填）され、且つ前記ケースに固定されたゲル状樹脂から成る中空のコア部材を有した精子採取器を、金型を用いた射出成形により製造する方法であって、前記弾性多孔質部材の中空内部に前記金型側の入れ子を嵌合した状態で該金型のキャビティ内に前記ケースを固定する工程と、前記キャビティ内に溶融した前記ゲル状樹脂を注入する際に、前記弾性多孔質部材の内壁を圧縮変形させつつ前記溶融ゲル状樹脂を前記入れ子との間に圧入する工程と、前記キャビティ内に充填された前記溶融ゲル状樹脂が固化した際に、前記金型を開放して前記精子採取器を取り出す工程と、を備えたことを特徴とする。
【発明の効果】
【００１０】
本発明によれば、コア片とケース片との間に封じ込められた弾性多孔質部材はエアクッションとして機能し、また、抜気孔からの空気の出し入れにより、内部のエアー量を調整し、ペニスに与える圧力（エア圧）を調整し、適正な圧力を得ることができる。つまり、容器内でのゲル状樹脂部分の体積を可変することができる。
また、一度、抜気孔から排出された空気は抜気孔を開いておけば、ウレタンの弾性により、（自動的に）容器内に戻ってくる。また、任意の位置で抜気孔をふさぐことで、その状態で内部の空間体積が固定される。
この結果、挿入空所内を往復動するペニスに対して適度な加圧力と刺激を与えて精子採取効果を高めることができる。また、弾性多孔質部材は、コア片を構成するゲル状樹脂に比して軽量であるため、精子採取器を軽量化して操作性、取扱性を高めることができ、またコア片を構成するゲル状樹脂に比して低廉であるためコストダウンを図ることができる。
本発明に係る精子採取器は、確かに医学的な目的以外にも、個人的な性欲を解消するための手段として使用されることはあるが、この様な用途に供されることのある精子採取器だからといって公序良俗を乱す商品であると断定するのは、早計であり、偏見である。この種の商品が性犯罪防止、性感染症の拡散防止等に如何に役立つか、という広い視野に立って特許権を付与する価値があるか否かをご判断頂きたい。【００１１】
因みに以下の事例は事実に基づいており、これらの社会的要請を満たす手段として精子採取器が役立つことは疑いのない事実である。なお、当然のことながら、本発明に係る精子採取器自体は未公開、未公知の状態にある。
まず、日本性機能学会雑誌  第２４巻  第３号、２００９年１２月に掲載された、獨協医科大学越谷病院泌尿器科の医師による論文「射精障害患者に対するMasturbatorを用いたリハビリテーション」中において、本出願人によって製造、販売されている精子採取器が適正なマスターベーションを実施する上で有効である旨が記載されている。
次に、本出願人からの要請により、タイ赤十字エイズ研究センター(The Thai Red Cross AIDS Research Center: http://www.redcross.or.th/english/aboutus/aids.php4) が、本出願人の開発に係る各種精子採取器を使用した男性の性行動調査を行うこととなった。本調査内容は、精子採取器を使用することで、男性（HIV感染者、非感染者、ゲイ、バイセクシュアル、ノーマル含む）の性欲の高まりを鎮めたり、性的リスク行動を抑制したりする効果が認められるか否かを調査するものである。現在同センターで調査の準備を進めている。【００１２】
また、特別養護老人ホームでは、高齢者の性的欲求の解消のための対策が求められている。即ち、高齢者のＱＯＬ（クオリティオブライフ）にとって「性」の部分の重要性は昨今指摘されている通りであり、こういった施設で起こるトラブルの８割が男女問題、言うなれば色恋事と密接に絡んでいると言われる。本出願人が過去に製造、販売してきた精子採取器は、高齢男性が「性」を楽しむ補助となっており「生きがい」や「生きる喜び・愉しみ」を提供することを通じ、ＱＯＬの向上に貢献していることが明らかとなっている。
また、これまで障害者の「性」に関してはなぜか長らく語られてこなかった。日本社会は人間の根源的な欲求の一つであるはずの「性欲」を、障害者には無いものとし、蓋をし続けてきた。本出願人は、「誰もが性を楽しめる社会づくり」という理念実現の一環として、障害者の性に対してもアプローチを続けている。障害児を持つ親への商品提供、自閉症児へのマスターベーション指導に関する中等養護学校教諭からの相談への対応等を行っている。
【図面の簡単な説明】
【００１３】
【図１】（ａ）及び（ｂ）は夫々本発明の一実施形態に係る精子採取器の製造装置によって製造される精子採取器の組付け状態を示す斜視図である。
【図２】（ａ）及び（ｂ）は開放した開閉ユニットとホルダを示す斜視図、及び閉止した開閉ユニットとホルダを示す斜視図である。
【図３】開閉ユニットの構成を示す分解斜視図である。
【図４】（ａ）及び（ｂ）は精子採取器の横断面図、及び開放した精子採取器の横断面図である。
【図５】図１乃至図４に示した精子採取器の製造装置の構成を示す分解斜視図である。
【図６】図１乃至図４に示した精子採取器の製造装置の構成を示す分解斜視図である。
【図７】本製造装置による成形手順を示す斜視図である。
【図８】本製造装置による成形手順を示す斜視図である。
【図９】第１の金型にケース片をセットした状態を示す断面図である。
【図１０】（ａ）及び（ｂ）は本製造装置による成形手順を示す断面図である。
【図１１】（ａ）及び（ｂ）は他のタイプの精子採取器の閉止状態を示す斜視図、及びそのＢ−Ｂ断面図である。
【図１２】（ａ）はこの精子採取器の開放状態を示す斜視図、（ｂ）は（ａ）のＣ−Ｃ断面図である。
【図１３】製造装置の構成を示す分解斜視図である。
【図１４】（ａ）（ｂ）及び（ｃ）は堰き止め部材の機能を説明するための要部断面図である。
【図１５】（ａ）〜（ｆ）は成形手順を説明する略図である。
【図１６】（ａ）は本発明の他の実施形態に係る精子採取器の外観構成を示す斜視図であり、（ｂ）はこの精子採取器のキャップを取り外した状態を示す斜視図である。
【図１７】本精子採取器の分解斜視図である。
【図１８】本精子採取器の縦断面図である。
【図１９】本実施形態に係る精子採取器、及びその製造装置の分解斜視図である。
【図２０】（ａ）（ｂ）及び（ｃ）は金型にケース及び弾性多孔質部材を組み付けた状態を示す要部断面図、第２の金型を除去した状態の要部断面図、及びケースの底部構成を示す斜視図である。
【図２１】（ａ）（ｂ）及び（ｃ）は本製造装置による射出成形手順を説明する断面図である。
【発明を実施するための形態】
【００１４】
以下、本発明を図面に示した実施形態により詳細に説明する。
図１（ａ）及び（ｂ）は夫々本発明の一実施形態に係る精子採取器の製造装置によって製造される精子採取器の組付け状態を示す斜視図であり、図２（ａ）及び（ｂ）は開放した開閉ユニットとホルダを示す斜視図、及び閉止した開閉ユニットとホルダを示す斜視図であり、図３は開閉ユニットの構成を示す分解斜視図であり、図４（ａ）及び（ｂ）は精子採取器の横断面図、及び開放した精子採取器の横断面図である。
精子採取器（射精促進装置）１は、開閉ユニット２から構成されており、開閉ユニット２はホルダ３０を装着するによって閉止状態に保持できるように構成されている。
開閉ユニット２は、側端縁に設けたヒンジ部３を中心として開閉自在に支持された２つのケース片４と、各ケース片４の内面に夫々配置された弾性多孔質部材１０と、各ケース片４の内面との間で各弾性多孔質部材１０を気密封止するように各弾性多孔質部材の内面に沿って配置され且つ各ケース片に夫々固定された非通気性のコア片２０と、各ケース片４に設けた貫通穴（抜気孔４１）内に配置されて弾性多孔質部材１０中の空気を外気と連通させるための抜気機構４０と、を有する。
２つのケース片４は、ケース（容器）を構成している。ヒンジ部３は例えば可撓性を有した樹脂シートから成り、この樹脂シートを両ケース片の端縁に接着固定することによりヒンジとして利用する。
ヒンジ部３の構成は任意に選定可能であり、両ケース片の端縁間を開閉自在に連結できる手段であればどのようなものであってもよい。
【００１５】
各コア片２０は、各ケース片４の内側面に弾性多孔質部材１０を介して夫々支持されて各ケース片と共に開閉し、図１（ａ）に示したケース片の閉止状態では各コア片間でペニス挿入用の挿入空所２１を形成する。ケース片が閉止状態にある時の２つのコア片はコア部材２０Ａを構成している。
ホルダ３０は、閉止した状態にある開閉ユニット２を図１のように使用可能な状態にて夫々着脱自在に保持する。
各ケース片４は比較的硬質の樹脂製薄板から成り、図１のように閉止したときに内部に図４に示した筒状中空部５を形成するように各ケース片４の内側には凹所５ａが形成されている。各凹所５ａ内には弾性多孔質部材１０を間に介在させてコア片２０が整合状態で嵌合して収納され、且つ弾性多孔質部材と接していないコア片の外周縁を凹所５ａ内壁に固定される。ケース片は閉じたときに筒状中空部５を形成するので、筒状中空部内に軟質材料から成るコア片対（コア部材）を収容して形状を保ち、使用時の変形、型くずれ、挫屈を防止することができる。
弾性多孔質部材１０は、ウレタンフォーム（スポンジ）の如き、内部に互いに連通する多数の微細な孔を有した軟質材料から構成されており、加圧されていない状態では自らの弾性により膨らんだ状態を維持することにより孔内に空気を保持し、加圧により圧縮された状態では孔内の空気を排出する。弾性多孔質部材１０は、図４の断面図に示すように外面を各ケース片４の内壁に密着させた状態で固定され、内面はコア片２０と密着一体化している。
【００１６】
各ケース片４は硬質樹脂板からなる略半円筒体であり、各弾性多孔質部材１０は、外面を各ケース片の凹所５ａ内壁に固定されると共に、弾性多孔質部材１０の内面の幅方向中央面が幅方向両端部よりも膨出した構成を備えている。弾性多孔質部材１０の幅方向中央面が内側へ向けて膨出している結果として、この膨出部位が他の部位よりも加圧により圧縮変形し易く、且つ圧縮解除によって膨出し易くなり、挿入空所２１にペニスを挿入した時にコア片対（コア部材）から加わる圧力、圧力解除による変形が容易になる。
本例に係るコア片２０は、弾性多孔質部材１０の幅方向中央面（膨出部）に対応する部位の肉厚が、弾性多孔質部材の幅方向両端部に対応する部位の肉厚よりも薄く設定されている。このため、弾性多孔質部材１０が膨張していることによって発生するコア片２０の幅方向中央部を内径方向に加圧する力をコア片側に忠実に反映させてコア片の薄肉部を内径側に変形させてペニスに対する加圧力を高めて、射精促進効果を高めることができる。
なお、弾性多孔質部材内面の幅方向中央部が幅方向両端部よりも膨出している構成は必須ではなく、弾性多孔質部材内面は非膨出状（平坦状、凹状を含む）であってもよい。
【００１７】
ホルダ３０は、図２等に示すように、軸方向一端部に設けられた底面３１ａが平坦な基部３１と、基部３１の一箇所から軸方向に延びて閉止状態にある開閉ユニット２の着脱をガイドすると共に開閉ユニットを脱落不能に保持する保持部３５と、を備えている。
ヒンジ部３とは反対側の各ケース片４の端縁７には夫々アリ溝部７ｂを有した突条７ａが形成されており、図１（ｂ）、図４（ａ）に示すようにケース片を閉止した時に各突条７ａ同士が近接して断面形状が略台形条の突条７Ａを形成する。
ホルダの保持部３５の内側面にはこの突起７Ａを受け入れて軸方向移動をガイドするガイド溝３６が形成されている。突起７Ａをガイド溝３６が分離しないように押さえつつガイドするため、ケース片４を分離させずにホルダ３０によって保持することができる。
【００１８】
次に、ケース片４の内面に弾性多孔質部材１０を間に挟んでコア片２０を一体化した構造は、ケース片内面に弾性多孔質部材１０を位置決めした状態で、このケース片を金型の成型空所（キャビティ）内に配置し、コア片を構成するゲル状樹脂材料を成型空所内に注入する射出成形を行うことにより製造することができる。
コア片２０は少なくともその一部をゲル状樹脂等の軟質樹脂から構成し、ケース片４とコア片２０との接触面は射出成形時に一体的に固定された状態となる。本実施形態のコア片２０は、図４の断面図に示すように弾性多孔質部材１０の内面全体に被覆された軟質樹脂層２３から成り、コア片２０の内面には挿入空所２１を形成する凹所２４を形成する。凹所２４の軸方向一端部には挿入口２１ａとなる凹部２６を形成する。なお、挿入口２１ａと対応するケース片４の端面には挿入用開口部４ａが形成される。
コア片２０を構成する軟質樹脂層２３は、エラストマーのような弾性を有したゲル状の樹脂、或いはゲル状のゴム等から構成する。コア片２０は従来のコア部材とは異なって袋体状ではなく、袋体を軸方向へ二分割した如き形状であるために、射出成形に使用する金型をシンプル化することができる。従って、凹所２４の内壁には任意の配置、形状にて突起、襞等を自由自在に形成できる。なお、２つのコア片２０はコア部材２０Ａを構成している。
このような材質から成るコア片２０とケース片４との間に封じ込められた弾性多孔質部材１０はエアクッションとして機能し、挿入空所２１内を往復動するペニスに対して適度な加圧力と刺激を与えて精子採取効果を高めることができる。
【００１９】
また、弾性多孔質部材１０は、コア片を構成するゲル状樹脂材料に比して軽量であるため、精子採取器を軽量化して操作性、取扱性を高めることができ、またゲル状樹脂に比して低廉であるためゲル状樹脂の量を減らすことによりコストダウンを図ることができる。
抜気機構４０は、各ケース片４に形成された抜気孔４１に対して組み付けられたボタン部材４２からなり、常時においては図示しないバネによって外方へ付勢されている。ボタン部材４２は、外方へ位置している時には抜気孔４１を閉止する一方で、バネに抗して指によって内方へ押し込まれたときに抜気孔４１を開放してケース片とコア片との間の空所Ｓに配置された弾性多孔質部材を外気と連通させるように構成されている。
要するに、ボタン部材４２を押し込んでいる時は空所Ｓ内の空気が抜気孔から外部へ放出されるため、挿入空所２１へペニスを挿入するとコア部材の挿入空所２１が拡開し、ペニスを退避させると各コア片と弾性多孔質部材の原形復帰力によって挿入空所が狭まる。従って、ペニスと挿入空所内壁とが常に密着した状態を維持し、この密着効果により射精を促進することができる。
【００２０】
一方、ペニスを挿入空所内に位置させた状態でボタン部材４２を押し込む力を解除すると、ボタン部材がバネによって外方へ変位して抜気孔４１を閉止して空所Ｓ内の空気が外部へ放出されなくなるため、空所Ｓがペニスによって押し広げられたまま（弾性多孔質部材が圧縮されたまま）の状態となるため、ペニスは挿入空所内でホールドされる。ペニスの形状に押し広げられた空間が固定される。このため、ペニスと挿入空所内壁との密着力が高まり、更なる吸着効果が発生し、使用感が変わる。この状態でペニスを空所Ｓから引き抜く方向へ退避させると、ペニスより奥側の空間は固定されているので、ペニス先端部の外面に負圧が生じ、吸着感を得ることができる。
このような密着感、使用感の変化は、ボタン押圧（抜気孔の開放）、押圧解除（抜気孔の閉止）とペニス挿入、往復動作という各操作の協働によって弾性多孔質部材の体積を変化させることによって初めて得ることができる。
【００２１】
次に、本実施形態に係る精子採取器（射精促進装置）を射出成形によって製造するための製造装置（金型装置）について説明する。
図５及び図６は図１乃至図４に示した精子採取器の製造装置の構成を示す分解斜視図であり、図７及び図８は本製造装置による成形手順を示す斜視図であり、図９は第１の金型にケース片をセットした状態を示す断面図であり、図１０（ａ）及び（ｂ）は本製造装置による成形手順を示す断面図である。
製造装置５０は、凹状の内面を有すると共に抜気孔４１を有し且つヒンジ部（接着テープ）３によって開閉自在に連結された略半円筒状の２つのケース片４と、各ケース片内面に配置された弾性多孔質部材１０と、各ケース片内面との間で弾性多孔質部材を挟んだ状態で弾性多孔質部材の内面に沿って配置（充填）され且つケース片に固定されたゲル状樹脂から成るコア片２０と、を有した精子採取器を製造する装置である。
コア片２０は、各ケース片内面との間に各弾性多孔質部材を介在させた状態で各弾性多孔質部材の内面に沿って配置されており、本例のようにコア片が弾性多孔質部材を圧縮変形させる場合と、圧縮変形させない場合がある。
製造装置５０は、内面に弾性多孔質部材１０を配置した２つのケース片４を並行に近接配置した状態で各ケース片を支持すると共に各弾性多孔質部材の内面と夫々対向する成形面５１ａを備えた第１の金型５１と、第１の金型上に閉型したときに第１の金型との間に形成される成形空間Ｃ内に各ケース片４及び各弾性多孔質部材１０を収容する第２の金型６０と、各ケース片４及び各弾性多孔質部材１０を成形空間Ｃ内に収容した状態で各弾性多孔質部材内面を押圧して圧縮変形させつつ溶融状態のゲル状樹脂７５を注入する樹脂流路（ランナー７０ａ、及びゲート７０ｂ）７０と、を備えている。
【００２２】
第１の金型５１の上面には、略同一形状の突状成形部５２が２個並行に突設されており、各突状成形部５２の上面であって抜気機構４０と対応する位置には夫々凹所５２ａが形成されている。各突状成形部５２は各コア片２０の凹所２４を形成するのに適した略蒲鉾状（半円筒状）をなしている。各突状成形部５２の長手方向一端部には各コア片の挿入口２１ａ及びその近傍の形状を転写するのに適した凹凸部５３が連続して形成されている。各突状成形部５２の長手方向他端部と幅方向両側縁に沿った第１の金型の上面にはこれらを包囲するように薄板状壁としての突条部５４がコ字状に連続して形成されている。
また、図１０に示すように第１の金型５１の底面と突状成形部５２の適所との間には樹脂流路７０が貫通形成されており、図示しないスプルーから圧送されてくる溶融状態のゲル状樹脂７５を第１の金型と第２の金型の成形面間に形成される成形空間Ｃ内に供給するように構成されている。本例では、ランナー７０ａの先端に位置するゲート７０ｂが突状成形部５２と弾性多孔質部材１０との対向面（接触面）にあるため、ゲート７０ｂから吐出された溶融樹脂７５は弾性多孔質部材１０を押圧して圧縮変形させつつ成形空間Ｃ内に展開してゆく。
【００２３】
第２の金型６０は、第１の金型５１上に閉型した時に、突状成形部５２とその周辺を覆う第１の分割片６１と、突状成形部５２の長手方向一端部よりも先端側を覆う第２の分割片６５と、を備えている。第１の分割片６１と第２の分割片６２を第１の金型５１上に組み付けた時に、両金型の成形面間（成形面６１ａ、６５ａと成形面５２、５３との間）に成形空間Ｃが形成される。第２の分割片６５側に設けた凹所６５ａと凹凸部５３との間に形成される空間にゲル状樹脂が充填されて固化することにより、各コア片の挿入口２１ａ及びその近傍の形状が形成される。
なお、本例では第２の金型６０を２つの分割片６１、６５から構成した分割タイプを示したが、一体型であってもよい。
【００２４】
次に、製造装置５０を用いて精子採取器１を製造する手順を説明する。
まず、弾性多孔質部材１０を内面（凹所内）に接着固定したケース片４を、第１の金型側の突状成形部５２上にセットして弾性多孔質部材１０の内面と突状成形部５２の外面とを対向（接触）させる（図７、図８、図９）。この際、抜気孔４１は抜気機構４０を構成するボタン部材４２により閉止しておく。ボタン部材はバネによって外側へ常時付勢されているため、ボタン部材を内部へ押し込まない限り抜気孔４１は閉止された状態にある。
或いは、抜気孔を図示しない粘着テープによって閉止しておいてもよい。
なお、弾性多孔質部材はケース片内面に必ずしも接着する必要はなく、溶融樹脂注入時に動かない程度に仮止め、或いは位置決めする程度であっても良い。
【００２５】
次いで、図１０（ａ）に示すように第１の金型５１の上面に第２の金型６０を組み付けて閉型することにより第２の金型６０の下面に設けた２つの成形凹所６１ａ、６５ａによって各ケース片４の外面を抑えて固定する。この閉型状態において第１の金型５１と第２の金型６０の間に形成される成形空間Ｃ内部では、図１０（ａ）に示すように各ケース片４に固定された弾性多孔質部材１０が突状成形部５２によって圧迫されて圧縮変形した状態となっている。
次いで、図１０（ｂ）に示すように樹脂流路７０から溶融したゲル状樹脂を成形空間Ｃ内に注入する。樹脂流路の先端に位置するゲート７０ｂは、突状成形部５２と弾性多孔質部材１０との接触面に開口しているため、ゲートから吐出されるゲル状樹脂７５は弾性多孔質部材１０を押しのけながら成形空間内に展開してゆく。樹脂の注入が終了した際には図示のように突状成形部５２と弾性多孔質部材１０との接触面には全体に渡ってゲル状樹脂７５が充填されており、且つ他の成形空間部分にもゲル状樹脂が充填された状態にある。
【００２６】
上記成形過程においてケース片の抜気孔４１はボタン部材４２によって閉止されているため、成形中に圧縮された状態にある弾性多孔質部材１０の多孔内部に空気が入ることがない。このため、溶融ゲル状樹脂を弾性多孔質部材と金型側の成形面との間に充填することが可能となる。
ゲル状樹脂の冷却のための時間が経過した後で、金型を開いて成形品を取り出すことによって、２つのケース片、弾性多孔質部材、ゲル状樹脂を一体化した精子採取器を得ることができ、抜気孔４１に抜気機構４０を構成する部品を組み付けることによって完成する。
バネに抗してボタン部材４２を内方へ押し込むことにより抜気孔からケース片とコア片との間の空間に空気が入り、弾性多孔質部材が膨張する。粘着テープによって抜気孔を閉止する場合には粘着テープを剥離することによって空気が入る。
【００２７】
本例では、予め２つのケース片４をヒンジ部３によって開閉自在に連結しているので、成形品を離型することによりほぼ完成した状態の精子採取器を得ることができる。
なお、弾性多孔質部材１０を固定した個々のケース片４を個別に金型内にセットしてゲル状樹脂を一体化することも可能である。
即ち、ケース片に対するゲル状樹脂の成形一体化を個別に実施する場合、製造装置５０は、内面に弾性多孔質部材１０を配置した単一のケース片の外面を固定する第１の金型５１と、第１の金型上に閉型したときに第１の金型との間に形成される成形空間内にケース片４及び弾性多孔質部材１０を収容し、且つ弾性多孔質部材の内面と対向する成形面を備えた第２の金型６０と、ケース片及び弾性多孔質部材を成形空間内に収容した状態で弾性多孔質部材内面を押圧して圧縮変形させつつ溶融状態のゲル状樹脂７５を圧入する樹脂流路７０と、を備えた構成とする。
なお、本発明の製造装置５０を用いて精子採取器１を製造する方法は次の工程から構成される。
即ち、本発明の精子採取器１の製造方法は、弾性多孔質部材１０の内面を金型側の成形面と対面させた状態で該金型のキャビティ内にケース片を固定する工程と、キャビティ内に溶融したゲル状樹脂７５を注入する際に、弾性多孔質部材を圧縮変形させつつ溶融ゲル状樹脂を金型側の成形面との間に圧入する工程と、キャビティ内に充填された溶融ゲル状樹脂が固化した際に、金型を開放して精子採取器を取り出す工程と、を備えている。
【００２８】
このように本発明の製造装置、及び製造方法によれば、弾性多孔質部材をケース片とコア片との間に介在させることによって高価なゲル状樹脂の使用量を低減できる精子採取装置を一回の射出成形によって一括して製造することができる。特に、弾性多孔質部材を圧縮変形させつつ弾性多孔質部材と成形面との間に溶融ゲル状樹脂を圧入することによりゲル状樹脂層を形成するので、一括した製造が可能となる。
なお、上記実施形態では樹脂流路７０からゲル状樹脂７５を成形空間内に注入する際に弾性多孔質部材内面を押圧して圧縮変形させる例を示したが、弾性多孔質部材と対向する金型成形面との間に空隙を形成しておき、この空隙にゲル状樹脂を注入することによって弾性多孔質部材を圧縮変形させないようにしてもよい。
【００２９】
次に、図１１（ａ）及び（ｂ）は他のタイプの精子採取器の閉止状態を示す斜視図、及びそのＢ−Ｂ断面図であり、図１２（ａ）はこの精子採取器の開放状態を示す斜視図、図１２（ｂ）は（ａ）のＣ−Ｃ断面図であり、図１３は製造装置の構成を示す分解斜視図であり、図１４は堰き止め部材の機能を説明するための要部断面図であり、図１５は成形手順を説明する略図である。
図１１、図１２に示した精子採取器（射精促進装置）８０は薄型であり、凹状の内面を有すると共に抜気孔を有したフラットな形状の２つのケース片８１（８１Ａ、８１Ｂ）と、各ケース片内面に夫々配置された弾性多孔質部材（ウレタンフォーム）９０と、各ケース片の内面間で各弾性多孔質部材９０を挟んだ状態で各弾性多孔質部材の内面に沿って配置（充填）され且つ各ケース片８１に固定され且つ外周部が互いに連接一体化されたゲル状樹脂から成るコア片１００と、各コア片間を連接するゲル状樹脂部分に開口したペニス挿入用の挿入口１０３と、を有する。
２つのケース片８１Ａ、８１Ｂはコア片１００を介して連接されており、図１１に示した閉止状態（非使用状態）と図１２に示した開放状態（使用状態）との間を変位するように構成されている。各ケース片８１は中央部に矩形の平坦面８１ａを有し、この平坦面の幅方向両端縁から曲面状の庇部８１ｂが張り出している。少なくとも一方のケース片８１の平坦面には抜気孔８１ｃが貫通形成されており、この抜気孔には前記実施形態の精子採取器１に備わった抜気機構４０と同様の抜気機構４０が成形終了後に組み付けられる。
各ケース片８１の内面の外周には小孔８２ａを有した板状の突片８２が突設されている。この突片８２は、金型内に注入された溶融樹脂が小孔８２ａ内に入り込んで絡みついた状態で固化するように構成されており、固化したゲル状樹脂とケース片とを一体化するための手段である。
２つのコア片１００は外周部分を全周に渡って伸縮自在な連接壁（ゲル状樹脂）１０１によって連接一体化されると共に、その内部はペニス挿入空所１０２となっている。また、連接壁１０１の一端面にはペニス挿入用の挿入口１０３が貫通形成されている。
【００３０】
製造装置１１０は、このような構成を有した精子採取器８０を射出成形によって製造する金型装置である。
製造装置１１０は、内面に弾性多孔質部材９０を配置した一方のケース片８１Ａの外面を支持する第１の金型１１１と、内面１２０ａに弾性多孔質部材９０を配置した他方のケース片８１Ｂの外面を支持すると共に該内面を第１の金型１１１の内面１１１ａと対向配置した状態で該第１の金型に組み付けられる第２の金型１２０と、第１の金型１１１と第２の金型１２０との間に介挿されて各弾性多孔質部材の内面と接触する成形面を両面に備えた入れ子１３０と、を備えている。
入れ子１３０は、金型内において各弾性多孔質部材９０と対向する両面に夫々成形面１３１ａを有した入れ子本体１３１と、入れ子本体の幅方向両端部に夫々一体化された堰き止め部材１３２と、入れ子本体１３１の長手方向一端から突設された突出部材１３５と、を備えている。入れ子本体１３１の両面１３１ａにはコア片１００の凹所内に形成する突起や襞を転写するための突起や凹部が形成されている。堰き止め部材１３２は、図１４に示すように金型を閉じた時に、庇部８１ｂと突片８２との間の空所内に入り込んで小孔８２ａ内を内側から外側へ流動する溶融したゲル状樹脂７５の流れを堰き止め、ゲル状樹脂の固化後にはゲル状樹脂と庇部８１ｂとの間に空間８１ｄが形成されるように機能する。ここに空間８１ｄが形成されることにより、ゲル状樹脂が庇部８１ｂを越えて外側へはみ出すことを防止でき、はみ出したゲル状樹脂によってケース片を閉止できなくなる不具合を解消できる。
【００３１】
入れ子本体１３１の内部には、溶融状態のゲル状樹脂を各弾性多孔質部材と入れ子の成形面との間に注入する樹脂流路１３１Ａを備えている。突出部材１３５は、成形時に連接壁１０１に挿入口１０３を形成する機能と、入れ子本体１３１内の樹脂流路１３１Ａに溶融樹脂を供給するランナーとしての機能を有している。突出部材１３５内に設けた流路１３５ａは樹脂流路１３１Ａと連通している。入れ子本体１３１の適所、本例では突出部材１３５と反対側の端部、更には表裏の成形面には樹脂流路１３１Ａと連通する吐出口が開口しており、流路１３５ａ、樹脂流路１３１Ａを経て流入してきた溶融樹脂は各吐出口から成形空間Ｃ内に充填される。この際、各弾性多孔質部材９０と対面する入れ子本体１３１の成形面に形成された吐出口から吐出された溶融樹脂は、弾性多孔質部材９０を圧縮させながら成形面に沿って展開してゆき、固化後に弾性多孔質部材９０と一体化する。更に、成形面の幅方向に展開してゆく溶融樹脂は、突片８２に形成した小孔８２ａ内を外側へ通過した後で堰き止め部材１３２に沿って上向きに流動し突片８２を内包するように密着一体化される。ゲル状樹脂の固化後にはゲル状樹脂と庇部８１ｂとの間に空間８１ｄが形成される。
【００３２】
次に、製造装置１１０による射出成形手順を図１５に基づいて説明する。
図１５（ａ）（ｂ）はケース片、及び弾性多孔質部材を金型装置内へセットする手順を示した断面図であり、抜気孔８１ｃを粘着テープ８３によって閉止した各ケース片８１Ａ、８１Ｂの内面に各弾性多孔質部材９０を配置（接着、或いは仮止め）した状態で、ケース片８１Ａの外面を第１の金型１１１の凹所１１１ａ内に着座させる。次いで入れ子１３０を各弾性多孔質部材９０によって挟むように両ケース片を重ね合わせた状態で第２の金型１２０を第１の金型上に組み付けて閉型する。この時、弾性多孔質部材は圧縮変形し、多孔質内の空気は一部抜気された状態となっている。
図１５（ｃ）は突出部材１３５の流路１３５ａから入れ子内部の樹脂流路１３１Ａへ溶融樹脂７５を流入させた状態を示し、入れ子１３０の先端に位置する吐出口から吐出された溶融樹脂は両ケース片間に形成される成型空間Ｃの先端側に充填された後で弾性多孔質部材を圧縮させながら入れ子との界面に進入、展開し、最後には成形空間全体に充填される。また、入れ子の成形面に形成された吐出口から吐出された樹脂も同様に展開してゆく。この過程では溶融樹脂７５は、弾性多孔質部材及び突片８２と密着し、冷却に伴って一体化した状態となる。
【００３３】
図１５（ｄ）は金型を開放した状態を示しており、ゲル状樹脂の固化後に第１及び第２の金型１１１、１２０を開放して成形品を取り出すと共に、入れ子１３０を抜き取る。
図１５（ｅ）では抜気孔８１ｃを塞いでいた粘着テープ８３を剥離することにより、ケース片とゲル状樹脂との間の気密空間内に収容された弾性多孔質部材内部に空気が入りこみ膨張する。この段階で、抜気孔８１ｃに対して前述した抜気機構４０を組み付けることにより精子採取器が完成する。
なお、各ケース片８１Ａ、８１Ｂは、ゲル状樹脂７５によって連接一体化されているため、挿入口１０３から挿入空所内にペニスを挿入した場合には図１５（ｆ）に示すようにゲル状樹脂７５が弾性的に伸展してケース片間距離を離間させることができる。ペニスを抜き取った後には原形に復帰する。
【００３４】
製造装置１１０を用いて精子採取器８０を製造する手順は次の通りである。
即ち、精子採取器８０の製造方法は、各弾性多孔質部材９０の内面を夫々金型を構成する入れ子１３０の成形面１３１ａと対面させた状態で、金型１１１、１２０間のキャビティ内に各ケース片８１Ａ、８１Ｂを固定する工程と、キャビティ内に溶融したゲル状樹脂７５を注入する際に、各弾性多孔質部材を圧縮変形させつつ溶融ゲル状樹脂を入れ子の各成形面との間に圧入する工程と、キャビティ内に充填された溶融ゲル状樹脂が固化した際に、金型を開放して精子採取器を取り出す工程と、を備えている。
このように本発明の製造装置、及び製造方法によれば、弾性多孔質部材をケース片とコア片との間に介在させることによって高価なゲル状樹脂の使用量を低減できる精子採取装置を一回の射出成形によって一括して製造することができる。特に、弾性多孔質部材を圧縮変形させつつ弾性多孔質部材と成形面との間に溶融ゲル状樹脂を圧入することによりゲル状樹脂層を形成するので、一括した製造が可能となる。
なお、上記実施形態では樹脂流路からゲル状樹脂を成形空間内に注入する際に弾性多孔質部材内面を押圧して圧縮変形させる例を示したが、弾性多孔質部材と対向する金型成形面との間に空隙を形成しておき、この空隙にゲル状樹脂を注入することによって弾性多孔質部材を圧縮変形させないようにしてもよい。
【００３５】
次に、図１６（ａ）は本発明の他の実施形態に係る精子採取器の外観構成を示す斜視図であり、図１６（ｂ）はこの精子採取器のキャップを取り外した状態を示す斜視図であり、図１７は精子採取器の分解斜視図であり、図１８は精子採取器の縦断面図である。
この精子採取器（射精促進装置）１５０は、軸方向両端部に開口部１５１ａ、１５１ｂを有した中空筒状のケース１５１と、ケース内面に沿って配置された中空筒状の弾性多孔質部材（ウレタンウレタンフォーム）１６０と、ケース内面との間で弾性多孔質部材を挟んだ状態で弾性多孔質部材の内面に沿って配置（充填）され且つケースに固定されたゲル状樹脂から成る中空のコア部材１７０と、ケース１５１の一端開口部１５１ａを着脱自在に閉止するキャップ１５３と、ケースの他端開口部１５１ｂ内に嵌合される底部クッション用のドーナツ状のウレタン部材１５６と、他端開口部１５１ｂを閉止する底蓋１５７と、底蓋１５７の抜気穴１５７ａを閉止する粘着テープ１５８と、を有する。
ケース１５１の上端部及び下端部周縁には夫々ゲル状樹脂を絡めて一体化させるための小孔１５２が形成されている。
弾性多孔質部材１６０としては、ウレタンフォーム等を円筒状に成形したもの、或いはシート状のウレタンフォームを円筒状にしたものを利用できる。
【００３６】
図１９はこの実施形態に係る精子採取器、及びその製造装置の分解斜視図であり、図２０（ａ）（ｂ）及び（ｃ）は金型にケース及び弾性多孔質部材を組み付けた状態を示す要部断面図、第２の金型を除去した状態の要部断面図、及びケースの底部構成を示す斜視図であり、図２１（ａ）（ｂ）及び（ｃ）は製造装置による射出成形手順を説明する断面図である。
製造装置１８０は、この精子採取器１５０を射出成形により製造するための金型装置である。
製造装置１８０は、ケースの軸方向一端開口部１５１ａに固定されて開口部１５１ａを閉止する端部閉止片１８２、及び、端部閉止片中央部から延びてその先端部と第２の金型内面との間に空間Ｓを形成する中空筒状の入れ子１８５を有した第１の金型１８１と、内面に弾性多孔質部材１６０を配置したケース１５１の軸方向他端開口部１５１ｂに固定されて開口部１５１ｂを閉止する第２の金型１９０と、を備えている。
【００３７】
第１の金型１８１は、端部閉止片１８２の上面にケース１５１の一端開口部１５１ａを着座嵌合させる円形の凹所（溝）１８２ａを有しており、図２０（ａ）の状態では開口部１５１ａは閉止されている。端部閉止片１８２の底面から入れ子１８５の内部を軸方向へ貫通するように樹脂流路１８３が形成されている。樹脂流路１８３の先端部は入れ子１８５の先端部にて開口しており、入れ子先端部と第２の金型下面との間に形成される空間Ｓと樹脂流路１８３の先端開口と連通している。
ケースの一端開口部１５１ａ、及び一端開口部１５１ａの周縁にはゲル状樹脂を絡めて一体化し易くするための小孔１５２が所定のピッチにて形成されている。
第２の金型１９０は、その下面にケース１５１の他端開口部１５１ｂ周縁を嵌合させる環状の溝１９０ａを有しており、図２０（ａ）の状態では開口部１５１ｂは閉止されている。
【００３８】
成形に際しては、図１９、図２０に示すように第１の金型の端部閉止片１８２の凹所１８２ａ内にケースの一端開口部１５１ａを着座させてこれを閉止する。次いで、弾性多孔質部材の中空部内に入れ子１８５が入り込むようにケース内に弾性多孔質部材１６０を嵌合する。弾性多孔質部材１６０は、ケースと入れ子とによって挟圧されて圧縮変形し、内部の空気が一部抜気される。更に、ケース上端部に第２の金型を組み付けることによりケース内部を封止した状態とする。この時、ケース内部は樹脂流路１８３のみを介して外部と連通可能な状態となっている。
この状態で、端部閉止片１８２の底面の穴から樹脂流路１８３内に溶融状態にあるゲル状樹脂７５を注入すると、ゲル状樹脂は樹脂流路内に流入して入れ子先端の穴１８３ａから樹脂がキャビティ内に吐出される。入れ子先端の穴から吐出された樹脂は入れ子先端と第２の金型との間の空間Ｓに充満し、次いで弾性多孔質部材１６０を圧縮させつつ弾性多孔質部材の内壁と入れ子との間に圧入し展開して行く（図２１（ａ）（ｂ））。ゲル状樹脂は冷却するとケースの両端部（小孔１５２）及び弾性多孔質部材と一体化するため、ゲル状樹脂及び弾性多孔質部材がケースから抜け落ちることがない。
なお、入れ子の外周面に樹脂流路１８３と連通する吐出口を形成して弾性多孔質部材の内面に直接ゲル状樹脂を吐出してもよい。
【００３９】
ゲル状樹脂の冷却後に、図２１（ｂ）に示すように弾性多孔質部材及びゲル状樹脂が一体化されたケースから両金型を取り外し、更に図２１（ｃ）に示すようにキャップ１５３、ウレタン部材１５６、底蓋１５７、粘着テープ１５８を順次組み付けることにより精子採取器１５０を完成する。
なお、製造装置１８０を用いて精子採取器１５０を製造する方法は、次の各工程から構成されている。
即ち、精子採取器１５０の製造方法は、弾性多孔質部材１６０の中空内部に金型側の入れ子１８５を嵌合した状態で該金型のキャビティ内にケース１５１を固定する工程と、キャビティ内に溶融したゲル状樹脂７５を注入する際に、弾性多孔質部材の内壁を圧縮変形させつつ溶融ゲル状樹脂を入れ子との間に圧入する工程と、キャビティ内に充填された溶融ゲル状樹脂が固化した際に、金型を開放して精子採取器を取り出す工程と、から構成されている。
なお、上記実施形態では軸方向両端部に開口部を備えたケース１５１を用いたため、両開口部を閉止する手段として第１の金型と第２の金型を必要としたが、軸方向一端のみに開口部を有したケースを用いれば、第２の金型を省略できる。
【００４０】
また、上記実施形態では樹脂流路からゲル状樹脂を成形空間内に注入する際に弾性多孔質部材内面を押圧して圧縮変形させる例を示したが、弾性多孔質部材と対向する金型成形面との間に空隙を形成しておき、この空隙にゲル状樹脂を注入することによって弾性多孔質部材を圧縮変形させないようにしてもよい。
このように本発明の製造装置、及び製造方法によれば、弾性多孔質部材をケースとコア部材との間に介在させることによって高価なゲル状樹脂の使用量を低減できる精子採取装置を一回の射出成形によって一括して製造することができる。特に、弾性多孔質部材を圧縮変形させつつ弾性多孔質部材と成形面との間に溶融ゲル状樹脂を圧入することによりゲル状樹脂層を形成するので、一括した製造が可能となる。
【００４１】
以上の如き構成を備えた本発明の精子採取器によれば、弾性多孔質部材は、コア片を構成するゲル状樹脂材料に比して軽量であるため、精子採取器を軽量化して操作性、取扱性を高めることができ、またゲル状樹脂に比して低廉であるためコストダウンを図ることができる。
また、本発明に係る精子採取器の製造装置、及び製造方法によれば、ケース片とゲル状樹脂製コア片（コア部材）との間に弾性多孔質部材を介在させた構造を生産性よく製造することが可能となる。
【符号の説明】
【００４２】
１…精子採取器、２…開閉ユニット、３…ヒンジ部、４…ケース片、４ａ…挿入用開口部、５…筒状中空部、５ａ…凹所、１０…弾性多孔質部材、２０…コア片、２０Ａ…コア部材、２１…挿入空所、２１ａ…挿入口、２３…軟質樹脂層、２４…凹所、２６…凹部、３０…ホルダ、３１…基部、３１ａ…底面、３５…保持部、３６…ガイド溝、４０…抜気機構、４１…抜気孔、４２…ボタン部材、５０…製造装置、５１…金型、５１ａ…成形面、５２…突状成形部、５２ａ…凹所、５３…凹凸部、５４…突条部、６０…金型、６１…分割片、６１ａ…成形凹所、６２…分割片、６５…分割片、６５ａ…凹所、７０…樹脂流路、７０ａ…ランナー、７０ｂ…ゲート、７５…ゲル状樹脂、７５…溶融樹脂、８０…精子採取器、８１…ケース片、８１Ａ、８１Ｂ…ケース片、８１ａ…平坦面、８１ｂ…庇部、８１ｃ…抜気孔、８１ｄ…空間、８２…突片、８２ａ…小孔、９０…弾性多孔質部材、１００…コア片、１０１…連接壁、１０２…ペニス挿入空所、１０３…挿入口、１１０…製造装置、１１１…金型、１１１、１２０…金型、１１１ａ…凹所、１１１ａ…内面、１２０…金型、１２０ａ…内面、１３０…入れ子、１３１…入れ子本体、１３１Ａ…樹脂流路、１３１ａ…成形面、１３５…突出部材、１３５ａ…流路、１５０…精子採取器、１５１…ケース、１５１ａ…一端開口部、１５１ｂ…他端開口部、１５２…小孔、１５３…キャップ、１５６…ウレタン部材、１５７…底蓋、１５７ａ…抜気穴、１５８…粘着テープ、１６０…弾性多孔質部材、１７０…コア部材、１８０…製造装置、１８１…金型、１８２…端部閉止片、１８２ａ…凹所、１８３…樹脂流路、１８５…入れ子、１９０…金型、１９０ａ…溝
【図１】
2011145580.tif 000003
【図２】
2011145580.tif 000004
【図３】
2011145580.tif 000005
【図４】
2011145580.tif 000006
【図５】
2011145580.tif 000007
【図６】
2011145580.tif 000008
【図７】
2011145580.tif 000009
【図８】
2011145580.tif 000010
【図９】
2011145580.tif 000011
【図１０】
2011145580.tif 000012
【図１１】
2011145580.tif 000013
【図１２】
2011145580.tif 000014
【図１３】
2011145580.tif 000015
【図１４】
2011145580.tif 000016
【図１５】
2011145580.tif 000017
【図１６】
2011145580.tif 000018
【図１７】
2011145580.tif 000019
【図１８】
2011145580.tif 000020
【図１９】
2011145580.tif 000021
【図２０】
2011145580.tif 000022
【図２１】
2011145580.tif 000023
【国際調査報告】
2011145580.tif 000024
2011145580.tif 000025